(57)【要約】【課題】グループ内の通話がなされる場合にグループ内の認証状況を把握させる技術を提供する。【解決手段】複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて、送信部５４は、通信に先立って、認証に係わる情報を基地局装置へ送信する。受信部５６は、基地局装置から、グループ内の少なくとも他の端末装置の、認証状況に関する情報を受信する。【選択図】図６
2015144332.tif 000002
【特許請求の範囲】
【請求項１】
複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる端末装置であって、
通信に先立って、認証に係わる情報を基地局装置へ送信する送信部と、
基地局装置から、グループ内の少なくとも他の端末装置の、認証状況に関する情報を受信する受信部と、
前記受信部において受信した情報をもとに、グループ内の認証状況を出力する報知部と、
を備えることを特徴とする端末装置。
【請求項２】
前記送信部は、認証に係わる情報として、端末装置を識別する識別情報を送信し、前記識別情報は、端末装置を使用するユーザが認証されているか否かに応じて異なる情報であることを特徴とする請求項１に記載の端末装置。
【請求項３】
複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる管理装置であって、
端末装置から、認証に係わる情報を受信する受信部と、
前記受信部において受信した情報をもとに、グループ内の端末装置の認証状況に関する情報を生成する生成部と、
前記生成部において生成した情報を端末装置へ送信する送信部と、
を備えることを特徴とする管理装置。
【請求項４】
複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて、
通信に先立って、認証に係わる情報を送信する端末装置と、
グループ内の少なくとも他の端末装置の、認証状況に関する情報を送信する管理装置と、
を備えることを特徴とする通信システム。
【請求項５】
複数の端末装置が含まれたグループが複数形成されるとともに、複数の基地局装置のそれぞれがグループ単位にチャネルを割り当てることによって、チャネルを割り当てたグループに含まれたひとつの端末装置から、当該グループに含まれた残りの端末装置への通信がなされる通信システムにおいて用いられる端末装置用のブログラムであって、
通信に先立って、認証に係わる情報を基地局装置へ送信させるステップと、
基地局装置から、グループ内の少なくとも他の端末装置の、認証状況に関する情報を受信させるステップと、
受信した情報をもとに、グループ内の認証状況を報知するステップと、
をコンピュータに実行させるためのプログラム。
【請求項６】
複数の端末装置が含まれたグループが形成されるとともに、複数少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる端末装置で実行される通信方法であって、
通信に先立って、認証に係わる情報を基地局装置へ送信するステップと、
基地局装置から、グループ内の少なくとも他の端末装置の、認証状況に関する情報を受信するステップと、
受信した情報をもとに、グループ内の認証状況を報知するステップと、
を備えることを特徴とする通信方法。
【請求項７】
複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる管理装置用のブログラムであって、
端末装置から、認証に係わる情報を受信するステップと、
受信した情報をもとに、グループ内の端末装置の認証状況に関する情報を生成するステップと、
生成した情報を端末装置へ送信するステップとをコンピュータに実行させるためのプログラム。
【発明の詳細な説明】
【技術分野】
【０００１】
本発明は、通知技術に関し、特にグループ内の複数の端末装置についての認証状況をユーザに知らせる端末装置、管理装置、通信システム、プログラム、通信方法に関する。
【背景技術】
【０００２】
移動電話機では、使用環境に応じて、端末設定情報や個人用情報が変更して設定される。例えば、業務目的のために貸与されている移動電話機では、業務用であるか私用であるかに応じて設定が変更される。また、家庭内における使用頻度の低い移動電話機は、複数の人に共有して使用される（例えば、特許文献１）。
【先行技術文献】
【特許文献】
【０００３】
【特許文献１】特開２００４−３５０２２６号公報
【発明の概要】
【発明が解決しようとする課題】
【０００４】
業務用無線システムでは、複数の端末装置によってグループが形成されており、基地局装置は、グループに対してチャネルを割り当てる。このような業務用無線システムでは、グループ内の通話が主として使用され、１対多の通話形態になる。一般的に業務用無線システムの端末装置は、事務所に複数台並べられており、ユーザは、現場へ向かうときに、いずれか１台の端末装置を携帯する。そのため、どのユーザがどの端末装置でも同じように使用できるように、複数の端末装置では、認証操作が要求されておらず、かつ同一の設定がなされている。このような状況下、通信の安全性を高めるために、端末装置を使用しているユーザに対する認証が要求される。一方、前述のような使用形態において、すべてのユーザに対して認証を要求すると、ユーザの利便性が悪化するおそれもある。
【０００５】
本発明はこうした状況に鑑みてなされたものであり、その目的は、グループ内の通話がなされる場合にグループ内の認証状況をユーザに把握させる技術を提供することである。
【課題を解決するための手段】
【０００６】
上記課題を解決するために、本発明のある態様の端末装置は、複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる端末装置であって、通信に先立って、認証に係わる情報を基地局装置へ送信する送信部と、基地局装置から、グループ内の少なくとも他の端末装置の、認証状況に関する情報を受信する受信部と、受信部において受信した情報をもとに、グループ内の認証状況を出力する報知部と、を備える。
【０００７】
本発明の別の態様は、管理装置である。この装置は、複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる管理装置であって、端末装置から、認証に係わる情報を受信する受信部と、受信部において受信した情報をもとに、グループ内の端末装置の認証状況に関する情報を生成する生成部と、生成部において生成した情報を端末装置へ送信する送信部と、を備える。
【０００８】
本発明のさらに別の態様は、通信システムである。この通信システムは、複数の端末装置が含まれたグループが形成されるとともに、少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて、通信に先立って、認証に係わる情報を送信する端末装置と、グループ内の少なくとも他の端末装置の、認証状況に関する情報を送信する管理装置と、を備える。
【０００９】
本発明のさらに別の態様は、通信方法である。この方法は、複数の端末装置が含まれたグループが形成されるとともに、複数少なくともひとつの基地局装置がグループ単位にチャネルを割り当てることによって、チャネルを割り当てたグループに含まれたひとつの端末装置から、当該グループに含まれた残りの端末装置への通信がなされる通信システムにおいて用いられる端末装置で実行される通信方法であって、通信に先立って、認証に係わる情報を基地局装置へ送信するステップと、基地局装置から、グループ内の少なくとも他の端末装置の、認証状況に関する情報を受信するステップと、受信した情報をもとに、グループ内の認証状況を報知するステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、グループ内の通話がなされる場合にグループ内の認証状況を把握できる。
【図面の簡単な説明】
【００１２】
【図１】本発明の実施例１に係る業務用無線システムの構成を示す図である。
【図２】図１の業務用無線システムによる通信手順を示すシーケンス図である。
【図３】図１の管理装置の構成を示す図である。
【図４】図４（ａ）−（ｂ）は、図３の記憶部に記憶されたデータベースのデータ構造を示す図である。
【図５】図３の通信部から出力されるデータ構造の一例を示す図である。
【図６】図１の端末装置の構成を示す図である。
【図７】図７（ａ）−（ｂ）は、図６の表示部において表示される画面を示す図である。
【図８】図６の端末装置による表示手順を示すフローチャートである。
【図９】図６の端末装置による認証状況の要求手順を示すフローチャートである。
【図１０】図６の端末装置による認証状況の別の要求手順を示すフローチャートである。
【図１１】図３の管理装置による認証状況の通知手順を示すフローチャートである。
【図１２】図３の管理装置による認証状況の別の通知手順を示すフローチャートである。
【図１３】図３の管理装置による認証結果の削除手順を示すフローチャートである。
【図１４】本発明の実施例２に係る管理装置から出力されるデータのデータ構造を示す図である。
【図１５】本発明の実施例２に係る端末装置の表示部において表示される画面を示す図である。
【図１６】本発明の実施例３に係る端末装置による受信手順を示すフローチャートである。
【発明を実施するための形態】
【００１３】
（実施例１）
本発明を具体的に説明する前に、まず概要を述べる。本発明の実施例１は、ネットワークに接続された複数の基地局装置と、各基地局装置に接続された複数の端末装置と、ネットワークに接続された管理装置を含む業務用無線システムに関する。業務用無線システムでは、複数の端末装置によってグループが形成される。基地局装置は、グループに対して、上りチャネルと下りチャネルを割り当てる。このような状況下において、グループ中のひとつの端末装置（以下、「送信装置」という）が、上りチャネルにて信号を送信し、グループ中の他の端末装置（以下、「受信装置」という）が、下りチャネルにて信号を受信する。なお、送信装置が接続された基地局装置とは異なった基地局装置も、当該グループに対して下りチャネルを割り当てるので、当該基地局装置に接続された受信装置も信号を受信できる。さらに、別のグループに対しても同様の処理がなされるが、異なったグループ間での通信はなされない。
【００１４】
前述のごとく、通信の安全性を確保するためには、端末装置を使用する際のユーザ認証が必要とされる。一方、ユーザの利便性を考慮すると、認証がなされない方が望ましい。これらの要求を両立するために、実施例１に係る業務用無線システムでは、一部のユーザが端末装置を使用する際にユーザ認証が実行され、残りのユーザが端末装置を使用する際にユーザ認証が実行されない。さらに、それらの結果がグループ内の複数の端末装置において共有される。端末装置を使用しているユーザは、グループに含まれた他の端末装置に対してユーザ認証がなされているか否かを確認してから通信を実行する。例えば、すべての端末装置（他の端末装置）においてユーザ認証がされているか、一部の端末装置においてユーザ認証がされているか、どの端末装置においても全くユーザ認証がされていないかに応じて、ユーザが通信内容を適切に選ぶことが可能になる。
【００１５】
図１は、本発明の実施例１に係る業務用無線システム１００の構成を示す。業務用無線システム１００は、基地局装置１０と総称される第１基地局装置１０ａ、第２基地局装置１０ｂ、第３基地局装置１０ｃ、第４基地局装置１０ｄ、端末装置１２と総称される第１端末装置１２ａ、第２端末装置１２ｂ、第３端末装置１２ｃ、第４端末装置１２ｄ、ネットワーク１４、管理装置２０を含む。第１基地局装置１０ａは、第１エリア１６ａを形成し、第２基地局装置１０ｂは、第２エリア１６ｂを形成し、第３基地局装置１０ｃは、第３エリア１６ｃを形成し、第４基地局装置１０ｄは、第４エリア１６ｄを形成する。ここで、第１エリア１６ａ、第２エリア１６ｂ、第３エリア１６ｃ、第４エリア１６ｄは、エリア１６と総称される。なお、基地局装置１０の数、端末装置１２の数は、「４」に限定されない。
【００１６】
第１基地局装置１０ａから第４基地局装置１０ｄは、ネットワーク１４を介して接続される。基地局装置１０は、複数のチャネルを設定可能であり、各チャネルをグループに割り当てる。チャネルには、公知の技術が使用されればよい。ここでは、一例として、ＦＤＭＡ（Ｆｒｅｑｕｅｎｃｙ  Ｄｉｖｉｓｉｏｎ  Ｍｕｌｔｉｐｌｅ  Ａｃｃｅｓｓ）／ＦＤＤ（Ｆｒｅｑｕｅｎｃｙ  Ｄｉｖｉｓｉｏｎ  Ｄｕｐｌｅｘ）によって複数のチャネルが多重化されている。例えば、第１基地局装置１０ａは、下りチャネルとして、Ｃｈ１、Ｃｈ３からＣｈ６を設定し、上りチャネルとして、Ｃｈ２、Ｃｈ７からＣｈ１０を設定する。ここで、Ｃｈ１は、下り制御チャネルに使用され、Ｃｈ２は、上り制御チャネルに使用される。また、Ｃｈ３とＣｈ７とが、ひとつの組合せとして同一のグループに割り当てられる。Ｃｈ４からＣｈ６、Ｃｈ８からＣｈ１０も同様である。他の基地局装置１０も、同様にチャネルを設定するが、設定可能なチャネル数は、基地局装置１０ごとに異なっていてもよい。さらに、Ｃｈ１とＣｈ２は、すべての基地局装置１０にわたって共通に、下り制御チャネルと上り制御チャネルに使用されるものとする。
【００１７】
端末装置１２は、基地局装置１０を介して他の端末装置１２と通信可能な無線端末である。ここでは、通信として通話がなされるものとする。なお、データ通信がなされてもよい。端末装置１２は、エリア１６に進入すると、当該エリア１６を形成している基地局装置１０に対して、位置登録を要求する。その際、使用するグループの登録も要求される。これらの要求は、Ｃｈ２の上り制御チャネルに含まれて送信される。上り制御チャネルは、ランダムアクセスによって送信される。基地局装置１０は、要求に応じて、グループ単位に端末装置１２を登録する。
【００１８】
ひとつの端末装置１２において発呼が発生した場合、端末装置１２は、Ｃｈ２において、発信要求が含まれた上り制御チャネルを送信する。上り制御チャネルを受信した基地局装置１０は、当該端末装置１２を前述の送信装置とし、送信装置が含まれたグループにチャネルを割り当てる。ここでのチャネルは、下りチャネルと上りチャネルとの総称である。基地局装置１０は、他の基地局装置１０に対して、当該グループに対してチャネルを割り当てることをネットワーク１４経由で要求する。他の基地局装置１０は、要求に応じて、当該グループが登録されているかを確認する。登録されている場合、他の基地局装置１０は、当該グループにチャネルを割り当てる。
【００１９】
基地局装置１０および他の基地局装置１０は、割り当てたチャネルの情報が含まれた下り制御チャネルを端末装置１２に送信する。当該グループに含まれた残りの端末装置１２である受信装置と、送信装置とは、下り制御チャネルを受信することによって、割り当てられたチャネルを認識する。送信装置は、割り当てられた上りチャネルにて信号を基地局装置１０へ送信する。当該信号には、デジタル化された音声信号が含まれている。基地局装置１０は、送信装置が含まれたグループ内に受信装置が含まれている場合、割り当てた下りチャネルにて信号を受信装置へ送信する。また、基地局装置１０は、受信した信号を他の基地局装置１０へ送信する。他の基地局装置１０は、割り当てた下りチャネルにて信号を受信装置へ送信する。受信装置は、受信した信号をもとに音声信号を再生して、スピーカから音声を出力する。
【００２０】
このように、複数の端末装置１２が含まれたグループが複数形成されている。また、複数の基地局装置１０のそれぞれがグループ単位にチャネルを割り当てる。その結果、チャネルを割り当てたグループに含まれたひとつの端末装置１２から、当該グループに含まれた残りの端末装置１２への通信がなされる。
【００２１】
なお、グループに含まれた複数の端末装置１２の間で、送信装置と受信装置とが入れ替わってもよい。受信装置として動作した端末装置１２において、送信すべき信号が発生した場合、当該端末装置１２は、前述のごとく、発信要求が含まれた上り制御チャネルを送信することによって、送信装置に切り替わる。また、送信装置として動作した端末装置１２は、信号の送信を終了すると、受信装置に切り替わる。このようなグループ通話は、ひとつの通話が発生した場合に、各基地局装置１０のチャネルをひとつ使用する。そのため、同１グループに含まれた端末装置１２が、広範囲の基地局装置１０に登録されている場合、１通話で基地局装置１０の数分のチャネルが使用される。以上の処理は、グループごとになされる。
【００２２】
図１では、グループ１の通話がなされている状況を示す。第２端末装置１２ｂが送信装置に相当する。第２端末装置１２ｂは、第２基地局装置１０ｂのＣｈ８を使用して信号を送信する。第１基地局装置１０ａ、第３基地局装置１０ｃには、グループ１が登録されている。そのため、第１端末装置１２ａは、第１基地局装置１０ａのＣｈ３を使用して信号を受信し、第３端末装置１２ｃは、第３基地局装置１０ｃのＣｈ３を使用して信号を受信する。一方、第４基地局装置１０ｄには、グループ１が登録されていないので、第４基地局装置１０ｄへは、第２端末装置１２ｂからの信号が出力されない。
【００２３】
例えば、グループ１が第２基地局装置１０ｂだけに登録されている場合、グループ１の通話が発生すると、第２基地局装置１０ｂのＣｈ８にて送信装置が信号を送信し、第２基地局装置１０ｂのＣｈ３にて受信装置が信号を受信する。そのため、ひとつの基地局装置１０だけの１組のチャネルが使用される。また、グループ１がふたつの基地局装置１０に登録されている場合、グループ１の通話が発生すると、ふたつの基地局装置１０のそれぞれにおいて１組のチャネルが使用される。そのため、２組のチャネルが使用される。これは、携帯電話システムのような１対１通話と同じだけのチャネルの消費に相当する。さらに、グループ１が３つ以上の基地局装置１０に登録されている場合、３組以上のチャネルが消費される。第３基地局装置１０ｃのすべてのチャネルが他のグループに使用されている場合、第３基地局装置１０ｃにおいてグループ１の通話がなされない。これは、ミスコールあるいはビジー状態に相当する。
【００２４】
このような通信処理に先立って、端末装置１２は、基地局装置１０との間で認証処理を実行してもよい。なお、認証処理は、基地局装置１０においてなされず、ネットワーク１４に接続された認証装置においてなされてもよい。認証処理には公知の技術が使用されればよいので、ここでは説明を省略する。端末装置１２は、認証結果、例えば、認証済み、認証がされていないことを上り制御チャネルにて基地局装置１０へ送信する。管理装置２０は、基地局装置１０から、認証結果を受けつける。管理装置２０は、端末装置１２が送信した情報に応答して、グループに含まれた他の端末装置１２の認証状況に関する情報を送信する。基地局装置１０は、認証状況に関する情報を下り制御チャネルにて送信する。端末装置１２は、認証状況に関する情報を受信し、認証状況に関する情報を表示する。その結果、当該端末装置１２を使用しているユーザは、グループに含まれた他の端末装置１２の認証状況を認識できる。
【００２５】
図２は、業務用無線システム１００による通信手順を示すシーケンス図である。第２端末装置１２ｂは、上り制御チャネルにて発信要求を送信する（Ｓ１１０）。第２基地局装置１０ｂは、発信要求を第１基地局装置１０ａに通知する（Ｓ１１２）。第２基地局装置１０ｂおよび第１基地局装置１０ａは、グループ１にチャネルを割り当てる（Ｓ１１４、Ｓ１１６）。第２基地局装置１０ｂは、下り制御チャネルにて割当結果を送信する（Ｓ１１８）。第２端末装置１２ｂは、上りデータを第２基地局装置１０ｂへ送信する（Ｓ１２０）。第２基地局装置１０ｂは、第１基地局装置１０ａへデータを送信する（Ｓ１２２）。第１基地局装置１０ａは、下り制御チャネルにて割当結果を送信する（Ｓ１２４）。第１基地局装置１０ａは、下りデータを第１端末装置１２ａへ送信する（Ｓ１２６）。
【００２６】
図３は、管理装置２０の構成を示す。管理装置２０は、通信部３０、処理部３２、生成部３４を含む。通信部３０は、送信部６０、受信部６２を含む。
【００２７】
受信部６２は、ネットワーク１４に接続されており、基地局装置１０を介して、端末装置１２からの認証結果の情報を受信する。処理部３２は、受信部６２から、認証結果の情報を受けつけ、それをデータベースに記憶する。記憶部３６は、各グループに含まれた複数の端末装置１２の認証結果の情報をデータベースとして記憶する。図４（ａ）−（ｂ）は、記憶部３６に記憶されたデータベースのデータ構造を示す。図４（ａ）に示す例では、「グループ名」、「端末装置ＩＤ」、「認証結果」が含まれる。グループ名（グループ番号）は、端末装置１２が含まれたグループの識別情報を示し、「端末装置ＩＤ」は「Ｕｎｉt  ＩＤ」とも呼ばれ、端末装置を一意に識別する番号である。認証結果の「済」は、認証済みに相当し、認証結果の「未」は、認証がされていないことに相当する。図４（ｂ）に示す例のように、さらに「ユーザ名」を記憶してもよい。後述するように、認証結果にユーザ名が含まれる場合は、認証結果が「済」の端末装置に対して「ユーザ名」を記録し、認証結果が「未」の端末装置のユーザ名は空欄とする。図３に戻る。
【００２８】
生成部３４は、処理部３２を介して、記憶部３６に記憶されたデータベースを受けつける。生成部３４は、処理対象となるグループに関連した情報をデータベースから抽出する。ここで、処理対象となるグループは、認証結果を送信した端末装置１２が含まれたグループに相当する。生成部３４は、当該グループの端末装置１２の認証結果の情報を組み合わせることによって、認証状況に関する情報を生成する。図５は、通信部３０から出力されるデータ構造の一例を示す図である。これは、生成部３４において生成される認証状況に関する情報を、「Ｂｒｏａｄｃａｓｔ  Ｉｄｅｎｔｉｆｉｅｄ  Ｄａｔａ」と呼ばれるメッセージを用いて送信する一例である。この「Ｂｒｏａｄｃａｓｔ  Ｉｄｅｎｔｉｆｉｅｄ  Ｄａｔａ」は、基地局装置１０からの下り制御チャネルにて報知されるメッセージである。
【００２９】
ここで、「ＩＤ１」は、１台目の端末装置１２を識別するための端末装置ＩＤ（Ｕｎｉt  ＩＤ）であり、例えば、２４ビットで構成される。「ＩＤ１の認証結果」は、１台目の端末装置１２のユーザに対する認証結果であり、１ビットで構成される。例えば、認証済みであれば「１」であり、認証がされていなければ「０」である。「ＩＤ２」、「ＩＤ２の認証結果」は、２台目の端末装置１２の端末装置ＩＤ、認証結果を示し、「ＩＤ１」、「ＩＤ１の認証結果」と同様に構成される。このように、Ｂｒｏａｄｃａｓｔ  Ｉｄｅｎｔｉｆｉｅｄ  Ｄａｔａは、５０ビットであり、下り制御チャネルでは、６４ビットを一度に送信可能である。そのため、２名のユーザ分の認証状況が一度に送信される。このように、生成部３４は、受信部５６において受信した認証結果の情報をもとに、端末装置１２が含まれたグループの端末装置１２の認証状況に関する情報を生成する。なお、図４（ｂ）に示したように、記憶部３６のデータベースに、認証済みのユーザ名が記憶されている場合は、「端末装置ＩＤ」と、「認証結果」と、「ユーザ名」とを関連付けたデータを、通信部３０から出力する。図３に戻る。
【００３０】
送信部６０は、ネットワーク１４を介して基地局装置１０へ、生成部３４において生成した認証状況に関する情報を送信する。前述のごとく、基地局装置１０は、認証状況に関する情報を下り制御チャネルにて端末装置１２へ送信する。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３２】
図６は、端末装置１２の構成を示す。端末装置１２は、通信部４０、処理部４２、マイク４４、スピーカ４６、操作部４８、表示部５０、記憶部５２を含む。通信部４０は、送信部５４、受信部５６を含む。
【００３３】
マイク４４は、通話の際に、ユーザからの音声を受けつけ、音声を音声信号に変換する。マイク４４は、音声信号を処理部４２へ出力する。スピーカ４６は、通話の際に、処理部４２からの音声信号を受けつけ、音声信号を音声として出力する。なお、スピーカ４６は、警告音等を出力してもよい。操作部４８は、ボタン、タッチパネル等によって構成されており、ユーザからの入力を受けつける。操作部４８は、受けつけた入力を処理部４２へ出力する。表示部５０は、処理部４２からの画像、メッセージを受けつけ、それらを表示する。画面がタッチパネルである場合、表示部５０は、操作部４８と一体的に構成される。なお、表示部５０を端末装置１２に含めずに、端末装置１２に表示装置（図示せず）を接続し、外部の表示装置に情報を表示させるように構成することも可能である。
【００３４】
処理部４２は、通信部４０と連携して、基地局装置１０あるいは認証装置（図示せず）あるいは管理装置２０との間で認証処理を実行する。図３には示していないが、管理装置２０に認証処理部を設け、管理装置２０で認証処理を行ってもよい。認証処理には公知の技術、例えば、パスワードや暗証番号が使用されればよい。認証処理に必要なマスターデータ（パスワード等）は、端末装置１２の外部（例えば、基地局装置１０、認証装置、管理装置２０など）に格納しておいてもよいし、端末装置１２に格納しておいてもよい。認証処理のマスターデータを端末装置１２の外部に格納する方法は、マスターデータを一元管理することができるので、基本的にはこの方法が望ましいが、特にパスワード変更やユーザの追加／削除が頻繁に発生する場合に適している。マスターデータを端末装置１２の内部に格納する方法は、システム構成を簡略化できるため、マスターデータの更新頻度が少ないシステムや、小規模なシステムでは適する場合がある。ユーザ認証の方法として、以下に示す方法を用いることができる。
【００３５】
第１のユーザ認証方法は、ユーザがグループの構成メンバであることを認証する方法である。例えば、グループの構成メンバに限定して、パスワード（特定の文字列、数字列など）を事前に通知しておき、それを入力させる方法である。この方法はひとつのグループに付きひとつのパスワードを設定すればよいので簡便であるが、ユーザ個人を認証することはできない。なお、ひとつの端末装置を複数のグループに同時に対応させたい場合は、それらのグループに対応する複数のパスワードを入力させればよい。
【００３６】
第２の認証方法は、ユーザごとに異なるユーザ名（ユーザＩＤ）とパスワードを設定しておく方法である。ユーザは認証時に、自分のユーザ名とパスワードを操作部４８から入力する。この方法は、ユーザ個人を認証することができる。なお、各ユーザにそれぞれ異なるパスワードを付与し、ユーザ名とパスワードとを関連付けたマスターデータを格納した上で、ユーザにパスワードのみを入力させるようにしてもよい。このようにすると、ユーザ名の入力を省略できるため、ユーザの操作負担を軽減することができる。マスターデータを格納する装置（パスワードの照合を行う装置）は、マスターデータのパスワードの中に、ユーザが入力したパスワードと一致するものが存在するか否か判定し、存在する場合は、そのパスワードに対応するユーザが入力したものとして認証する。
【００３７】
なお、認証処理は、例えば、操作部４８の何らかのキーを押しながら、端末装置１２の電源がオンされることによって起動される。また、認証処理は、端末装置１２の電源オフ前に設定されることによって起動されてもよい。さらに、認証処理は、端末装置１２の電源をオンしたときに起動するように予め無線機器設定用のアプリケーションソフトで設定しておいてもよい。認証処理の際、通信部４０は、上り制御チャネル、下り制御チャネルを使用する。前述のごとく、認証処理は、通信に先立ってなされる。
【００３８】
認証処理のマスターデータが、端末装置１２の外部に格納されている場合は、端末装置１２から基地局装置１０に、端末装置ＩＤ、ユーザが入力したパスワード、ユーザ名（入力された場合）などの情報を送信部５４を介して送信する。なお、パスワード等の文字情報を暗号化して送信することが望ましい。基地局装置１０が、認証処理のマスターデータを格納している場合、受信したパスワード、ユーザ名をマスターデータと照合し、認証の可否を判定する。そして、その認証結果の情報を管理装置２０に通知する。認証結果の情報には、端末装置ＩＤと、認証の可否が含まれているが、さらにユーザ名が含まれる場合もある。管理装置２０の処理部３２は、受信部６２を介して、基地局装置１０から認証結果を受信し、記憶部３６のデータベースに記憶させる。記憶部３６は、認証結果にユーザ名が含まれない場合は、図４（ａ）に示す形式で記憶し、認証結果にユーザ名が含まれる場合は、図４（ｂ）に示す形式で記憶する。端末装置１２および基地局装置１０以外の装置が認証のマスターデータを格納している場合も同様に、その装置から管理装置２０に認証結果を通知すればよい。
【００３９】
次に、端末装置１２が認証処理のマスターデータを格納している場合の処理を説明する。処理部４２は、ユーザが入力したパスワード、ユーザ名（入力された場合）をマスターデータと照合し、認証の可否を判定する。そして、処理部４２は、送信部５４と連携して、通信に先立って、認証結果の情報を基地局装置１０へ送信する。この認証結果の情報には、端末装置ＩＤ、認証の可否が含まれており、さらにユーザ名が含まれる場合もある。ここでは、認証結果の情報を送信するデータ構造の一例として上り制御チャネルのＲａｎｄｏｍ  Ａｃｃｅｓｓ  Ｒｅｑｕｅｓｔのうちの１ビットを認証結果の送信のために使用する。当該ビットは、認証済みであれば「１」とされ、認証がされていなければ「０」とされる。なお、このデータ構造は、認証結果の情報にユーザ名を含めない場合に使用することができる。また、基地局装置１０は、認証結果の情報を管理装置２０へ出力する。
【００４０】
さらに、処理部４２が、通信部４０と連携して、基地局装置１０に対して位置登録のためのメッセージのやり取りを行う際に、端末装置ＩＤの使い方を工夫することにより、通常の位置登録メッセージを使用して認証結果を伝送することも可能である。例えば、端末装置ＩＤを、認証済み用ＩＤと未認証用ＩＤとに分けて使用する。具体的に説明すると、端末装置ＩＤ：０〜５０００を未認証用ＩＤに割り当て、端末装置ＩＤ：５００１以上を認証済み用ＩＤに割り当てた上で、各々の端末装置１２に、未承認用ＩＤおよび認証用ＩＤのふたつの端末装置ＩＤを設定し、記憶部５２に記憶させておく。例えば、ある第１端末装置１２ａの未承認用ＩＤが「１」であり、承認用ＩＤが「５００１」である場合、処理部４２は、通常の位置登録メッセージを送信部５４から送信する際に、第１端末装置１２ａが認証済みであれば、ＩＤとして「５００１」を選択し、未認証であればＩＤとして「１」を選択し、それを位置登録メッセージの中に設定する。位置登録メッセージを受信した基地局装置１０は、その中に含まれるＩＤが「５００１」以上であるか否かを調べることにより、その端末装置１２が認証済みであるか否かを判定できる。このような方法により、新規の通信プロトコルを追加せずに、通常の位置登録メッセージを使用して、端末装置１２の認証結果を基地局装置１０に送信することができる。また、グループへの加入処理が実行可能であれば、業務用無線システム１００は、該当するグループのみに対して、新たにグループ加入した端末装置１２の情報を報知してもよい。なお前述のごとく、ユーザの認証を行う際に、他の装置で認証処理を行うためのパスワード等の情報（認証要求）、および端末装置１２で認証処理を行った結果の情報（認証結果）のいずれかの情報を、端末装置１２から送信する。ここで送信される情報を個別情報または個別認証情報と称する。また、これら端末装置１２から送信される個別情報、個別認証情報を認証に係わる情報と称する。
【００４１】
受信部５６は、送信部５４が送信した認証結果の情報に応答して、基地局装置１０から、グループに含まれた他の端末装置１２の認証状況に関する情報を受信する。この情報は、前述のごとく、管理装置２０において生成されており、下り制御チャネルにて送信されている。なお、管理装置２０は基本的に、グループに含まれるすべての端末装置１２に関する認証状況に関する情報を生成する。このようにすると、すべての端末装置１２に対して、同じデータ（認証状況に関する情報）を一斉に送信することができるので、効率的な通信ができる。ただし、場合によっては、ある端末装置１２（例えば、第１端末装置１２ａ）に対して送信する認証状況に関する情報から、その端末装置（第１端末装置１２ａ）の認証状況の情報を除外してもよい。
【００４２】
認証状況に関する情報の受信は、異なったタイミングでなされてもよい。例えば、処理部４２は、送信部５４を介して、認証状況に関する情報の送信要求を基地局装置１０へ送信する。これは、操作部４８における認証状況取得キーがユーザによって押し下げられた場合、タイマによって周期的なタイミングが到来した場合になされる。その際、上り制御チャネルが使用される。送信要求は、基地局装置１０から管理装置２０へ出力される。その後、送信要求に応答して、受信部５６は、基地局装置１０から、認証状況に関する情報を受信する。受信部５６は、認証状況に関する情報を処理部４２へ出力する。なお、他の端末装置１２に対する登録処理が成功したときも、受信部５６は、下り制御チャネルにて、新たに登録された他の端末装置１２の加入の情報を受信する。
【００４３】
処理部４２は、受信部５６から、認証状況に関する情報を受けつける。処理部４２は、認証状況に関する情報をもとに、グループ内の他の端末装置１２を知らせるための画面を生成する。
【００４４】
表示部５０は、処理部４２において生成された表示データ（画面データ）を画面に表示する。そのため、表示部５０は、受信部５６において受信した情報をもとに、グループ内の認証状況を表示するといえる。図７（ａ）は、表示部５０において表示される画面の一例である。これは、連絡先一覧画面であり、他の端末装置１２の名称（端末装置名）の一覧の例である。端末装置１２の記憶部５２には、端末装置ＩＤと端末装置名との対応情報が記憶されている。この対応情報は、無線機器設定用のアプリケーションソフト等を用いて、予め設定登録されている。例えば、図４（ａ）に示したように、端末装置ＩＤ「６７００」が認証済みであることを示す認証状況の情報を受信し、上記の対応情報で端末装置ＩＤ「６７００」に端末装置名「ＴＲＵＣＫ  ８２４」が対応している場合、「ＴＲＵＣＫ  ８２４」という端末装置名と、認証済みを示す鍵のアイコンが表示される。また、端末装置ＩＤ「１２３４」が認証されていない場合、上記の対応情報で端末装置ＩＤ「１２３４」に端末装置名「ＴＲＵＣＫ  ８２５」が対応していれば、「ＴＲＵＣＫ  ８２５」には鍵のアイコンは表示されない。なお、この一覧画面は通話相手となり得る端末装置を示しているので、認証状況に関する情報の中から、画面表示を行う端末装置（自端末）を除外して表示する。なお、上記の対応情報が存在しない場合には、端末装置名の代わりに、端末装置ＩＤを画面に表示してもよい。
【００４５】
さらに、「Ａｕｔｈｏｒｉｚｅｄ」として、グループに含まれた他の端末装置１２の数（本図の例では「２０」）と、グループに含まれた他の端末装置１２のうちの認証がなされた端末装置１２の数（本図の例では「３」）との比率（本図の例では「３／２０」）も表示される。この比率は、全体に対する認証済みの割合に相当する。また、自端末を含めたグループ全体の端末装置１２の数と、グループ全体で認証がなされた端末装置１２の数との比率を表示してもよい。例えば、グループ全体の端末装置の数が「２１」で、自端末が認証されており、他に３台の端末装置が認証されている場合は、「４／２１」といった表示を行ってもよい。
【００４６】
図７（ｂ）は、一覧画面の別の一例を示す図である。図７（ａ）で示す画面に表示される情報に加えて、ユーザ名が表示される。この場合は、認証状況の関する情報に、ユーザ名が含まれている必要がある。本図の例では、「Ｔｏｍ」、「Ａｌｉｃｅ」、「Ｂｏｂ」等の文字列がユーザ名である。例えば、「ＴＲＵＣＫ  ８２４」という名称の端末装置を「Ｔｏｍ」という名称のユーザが使用中であることが分かる。このように、誰がどの端末装置を使用中であるかが分かるので、ユーザの利便性がさらに向上する。
【００４７】
なお、連絡先一覧画面とは別に、グループメンバ一覧画面が処理部４２によって生成されてもよく、表示部５０によって表示されるグループメンバ一覧画面において、グループ内のユーザの認証状況もアイコンや文字（認証済みの割合など）にて表示される。さらに、表示部５０は、通話中に相手・グループ内ユーザの認証状況を表示してもよい。
【００４８】
端末装置１２が複数のユーザによって使用される場合、ユーザの操作性を高めるためには、端末装置１２の設定をユーザごとに用意することが望ましい。処理部４２は、認証処理が終了したときに、認証したユーザに対応した設定を実行する。ここでは、ユーザに固有の設定データを「専用データ」という。例えば、記憶部５２は、複数の専用データを記憶しており、処理部４２は、認証したユーザ名に応じて、記憶部５２からひとつの専用データを選択する。
【００４９】
また、記憶部５２の代わりに、基地局装置１０が複数の専用データを記憶してもよい。その際、処理部４２は、通信部４０を介して、基地局装置１０に対して専用データの送信を要求する。これに対する応答として、通信部４０は、基地局装置１０からの専用データを受信し、処理部４２は、専用データを設定する。なお、基地局装置１０の代わりに、ネットワーク１４に接続されたサーバであってもよい。さらに、端末装置１２を充電するための充電器に、少なくともひとつの専用データが記憶されていてもよい。端末装置１２が充電器に接続された場合に、処理部４２は、充電端子から専用データを受けつけてもよい。これまで説明した方法が任意に組み合わされてもよい。
【００５０】
専用データは、例えば、Ｕｎｉｔ  ＩＤ、機能の有効・無効状態、Ｕｎｉｔ  ＩＤ  Ｌｉｓｔ、Ｇｒｏｕｐ  ＩＤ  Ｌｉｓｔである。また、専用データは、運用中に基本データから変更した設定であってもよい。さらに、専用データは、電源をオフしたとき、充電器に接続したとき戻したとき、端末装置１２に対する専用操作がなされたとき、運用中にユーザ切り替えモード開始キーが操作されたときに、バックアップされてもよい。
【００５１】
以上の構成による業務用無線システム１００の動作を説明する。図８は、端末装置１２による表示手順を示すフローチャートである。電源がオンされる（Ｓ１０）。認証モードであれば（Ｓ１２のＹ）、操作部４８によって認証用パスワードが入力される（Ｓ１４）。処理部４２、通信部４０によって認証が成功すれば（Ｓ１６のＹ）、処理部４２は、ユーザ専用データを設定する（Ｓ１８）。認証モードでない場合（Ｓ１２のＮ）、あるいは認証が成功しない場合（Ｓ１６のＮ）、ステップ１４から１８はスキップされる。記憶部５２は、認証結果を保存する（Ｓ２０）。処理部４２、送信部５４は、認証結果が含まれた情報を送信する（Ｓ２２）。受信部５６、処理部４２は、認証状況が含まれた情報を受信する（Ｓ２４）。表示部５０は、認証状況を表示する（Ｓ２６）。なお、ステップ２４は、必ずしもステップ２２と対応させて実行する必要はなく、適宜必要なタイミングで実行してもよい。
【００５２】
図９は、端末装置１２による認証状況の要求手順を示すフローチャートである。処理部４２、送信部５４は、認証状況が含まれた情報の送信を要求する（Ｓ３０）。受信部５６、処理部４２は、認証状況が含まれた情報を基地局装置１０経由で管理装置２０から受信する（Ｓ３２）。処理部４２は、情報取得用タイマを開始する（Ｓ３４）。処理部４２は、タイマをインクリメントする（Ｓ３６）。タイムアウトしなければ（Ｓ３８のＮ）、ステップ３６に戻る。一方、タイムアウトすれば（Ｓ３８のＹ）、ステップ３０に戻る。このような処理により、端末装置１２は、一定の周期で認証状況が含まれた情報を受信するため、ユーザは常に最新の認証状況を把握することができる。
【００５３】
図１０は、端末装置１２による認証状況の別の要求手順を示すフローチャートである。操作部４８を介して、ユーザによる情報の取得操作がなされる（Ｓ４０）。処理部４２、送信部５４は、認証状況が含まれた情報の送信を要求する（Ｓ４２）。受信部５６、処理部４２は、認証状況が含まれた情報を基地局装置１０経由で管理装置２０から受信する（Ｓ４４）。
【００５４】
図１１は、管理装置２０による認証状況の通知手順を示すフローチャートである。受信部６２、処理部３２は、認証状況が含まれた情報の送信要求を受信する（Ｓ５０）。生成部３４、処理部３２、送信部６０は、認証状況が含まれた情報を送信する（Ｓ５２）。
【００５５】
図１２は、管理装置２０による認証状況の別の通知手順を示すフローチャートである。処理部３２は、送信制御用のタイマ（一定周期で認証状況が含まれた情報を送信するためのタイマ）を起動する（Ｓ６０）。処理部３２は、タイマをインクリメントする（Ｓ６２）。タイムアウトしなければ（Ｓ６４のＮ）、ステップ６２に戻る。タイムアウトすれば（Ｓ６４のＹ）、生成部３４、処理部３２、送信部６０は、認証状況が含まれた情報を送信する（Ｓ６６）。
【００５６】
図１３は、管理装置２０による認証結果の削除手順を示すフローチャートである。端末装置１２が電源を切る場合等に、端末装置１２（第１端末装置１２ａ）から基地局装置１０経由で、管理装置２０に削除要求のメッセージが送信される。受信部６２、処理部３２は、認証結果の削除要求を受信する（Ｓ７０）。削除要求のメッセージには、端末装置ＩＤが含まれているので、現状の認証状況の情報から、その端末装置ＩＤ（第１端末装置１２ａのＩＤ）を削除して、新たな認証状況の情報を作成する。生成部３４、処理部３２、送信部６０は、新たな認証状況が含まれた情報を各々の端末装置１２に送信する（Ｓ７２）。
【００５７】
本実施例によれば、認証結果の情報を送信するとともに、グループに含まれた端末装置の認証状況に関する情報を受信するので、グループ内の通話がなされる場合にグループ内の認証状況を把握できる。また、グループ内の認証状況を表示するので、ユーザは認証状況の把握を容易にでき、認証状況に応じた通話（話題の選定等）を行うことができる。また、グループに含まれた他の端末装置の数と、グループに含まれた他の端末装置のうちの認証がなされた端末装置の数との比率を表示するので、認証状況をさらに容易に把握できる。また、認証結果の情報をもとに、端末装置が含まれたグループの端末装置の認証状況に関する情報を生成して送信するので、認証状況を知らしめることができる。また、個々の端末装置の認証結果の情報を組み合わせるので、認証状況に関する情報を詳細に知らせることができる。
【００５８】
また、通信に参加しているユーザが明らかになるので、通話する内容をユーザに応じて変えることができる。また、ひとつの端末装置に対して各ユーザの専用設定がなされるので、ひとつの端末装置を複数のユーザで共用できる。また、ひとつの端末装置が複数のユーザで共用されるので、端末装置の台数を削減できる。また、端末装置の台数が削減されるので、運用コストを低減できる。また、端末装置を使用する際にユーザ認証を行い、その結果をシステム上のユーザで共有するので、通信の安全性を確保できる。
【００５９】
また、このユーザ認証によって端末装置の設定情報を切り替えるので、どの端末装置を使用しても自分用の設定として動作させることができる。また、どの端末装置を使用しても自分用の設定として動作させるので、大量の端末装置が混在している運用環境での利便性を向上できる。また、端末装置にパスワード（または個人識別番号）を入力することにより、その端末装置が自分専用の端末装置として動作し、自分がログインしたことをシステム上の他のユーザに知らせることができる。
【００６０】
（実施例２）
次に、実施例２を説明する。実施例２は、実施例１と同様に、管理装置を含む業務用無線システムに関する。実施例１において、グループに含まれる個々の端末装置が認証されているか否かの情報が、各端末装置に送信される。実施例２は、認証状況に関する情報のデータ量を削減することを目的とする。実施例２に係る監視装置は、グループの端末装置のうち、認証済みの端末装置の数と、認証していない端末装置の数との組合せを認証状況に関する情報として端末装置へ送信する。端末装置では、実施例１と同様に、グループに含まれた端末装置の数と、グループに含まれた端末装置１２のうちの認証がなされた端末装置の数との比率を表示する。さらに、グループに含まれた端末装置がすべて認証されている場合、それをユーザに知らせるための表示もなされる。実施例２に係る業務用無線システム１００、管理装置２０、端末装置１２は、図１、３、６と同様のタイプである。ここでは、実施例１との差異を中心に説明する。
【００６１】
図３の管理装置２０において、記憶部３６は、実施例１と同様に図４（ａ）−（ｂ）のように、各グループに含まれた複数の端末装置１２の認証結果の情報を記憶する。生成部３４は、処理部３２を介して、生成部３４に記憶されたデータベースを受けつける。生成部３４は、処理対象となるグループに関連した情報をデータベースから抽出する。生成部３４は、端末装置１２が含まれたグループの他の端末装置１２の認証結果の情報を統計処理することによって、統計処理の結果が含まれた情報を生成する。
【００６２】
統計処理として、生成部３４は、グループのうち、認証済みの端末装置１２の数を計算するとともに、認証がされていない端末装置１２の数を計算する。生成部３４は、認証済みの端末装置１２の数と、認証がされていない端末装置１２の数とを組み合わせることによって、認証状況に関する情報を生成する。図１４は、本発明の実施例２に係る管理装置２０から出力されるデータのデータ構造を示す図である。図示のごとく、「認証ユーザ数」、「非認証ユーザ数」が含まれている。「認証ユーザ数」が、認証済みの端末装置１２の数に相当し、「非認証ユーザ数」が、認証がされていない端末装置１２の数に相当する。
【００６３】
図６の受信部５６は、基地局装置１０から、グループに含まれた他の端末装置１２の認証状況に関する情報を受信する。処理部４２は、受信部５６から、認証状況に関する情報を受けつける。処理部４２は、認証状況に関する情報をもとに、グループに含まれた他の端末装置１２の数と、グループに含まれた他の端末装置１２のうちの認証がなされた端末装置１２の数との比率を計算する。管理装置２０から出力される「認証ユーザ数」が「４」であり、「非認証ユーザ数」が「１７」である場合を例にして具体的に説明する。まず、認証状況に関する情報を受信した端末装置１２は、ふたつの数値の合計値から、自端末に相当する「１」を引いた値、すなわち「４＋１７−１＝２０」をグループに含まれた他の端末装置１２の数とする。次に、自端末が認証済みである場合は、「認証ユーザ数」から「１」を引いた値を、グループに含まれた他の端末装置１２のうちの認証がなされた端末装置１２の数とする。上記の例で、自端末が認証済みの場合は、「４−１＝３」となる。自端末が認証されていない場合は、受信した「認証ユーザ数」をそのまま用いる。
【００６４】
表示部５０は、処理部４２において生成された画面を表示する。図１５は、本発明の実施例２に係る端末装置１２の表示部５０において表示される画面を示す。これは、図７（ａ）−（ｂ）と同様に、連絡先一覧画面であり、他の端末装置１２を使用しているユーザの一覧を示す。ここでは、認証状況に関する情報に個々の端末装置が認証済みか否かの情報が含まれていないため、図７（ａ）−（ｂ）とは異なって、認証済みの端末装置に対する鍵のアイコンが示されない。一方、「Ａｕｔｈｏｒｉｚｅｄ」として、グループに含まれた他の端末装置１２の数と、グループに含まれた他の端末装置１２のうちの認証がなされた端末装置１２の数との比率が表示される。本図の例では「３／２０」である。なお、自端末を含めたグループ全体の端末装置１２の数と、グループ全体で認証がなされた端末装置１２の数との比率を表示してもよい。すなわち、上記の例において、「４／２１」といった表示を行ってもよい。また、「１５％の端末装置が認証済み」などパーセント表示を行ってもよい。また、比率を用いずに、「３台の端末装置が認証済み」、「３台認証：１７台未認証」等の表示をしてもよい。すなわち、グループに含まれた端末装置のうちの認証済みの端末装置の数に基づく情報を表示してもよい。
【００６５】
通知エリア７０が画面の一部に設けられている。通知エリア７０は、グループに含まれた他の端末装置１２の中に、認証されていない端末装置１２が含まれている場合、「赤色」で表示される。一方、通知エリア７０は、グループに含まれた他の端末装置１２がすべて認証されている場合、「青色」で表示される。このように、グループに含まれた他の端末装置１２がすべて認証されているか否かに応じて、通知エリア７０の表示色が変更される。つまり、表示部５０は、グループに含まれた他の端末装置１２がすべて認証されている場合、すべての他の端末装置１２が認証されていることを表示する。通知エリア７０は、実施例１に設けられてもよい。また、自端末を含めたすべての端末装置１２が認証されている場合にのみ、「青色」を表示してもよい。また、自端末が認証されていない場合に、「黄色」を表示させる等、特別な表示させてもよい。さらに、自端末が認証されていない場合に、認証済みの他の端末装置１２の数に応じて、表示を変えてもよい。例えば、認証済みの他の端末装置１２の数に応じて、表示色や表示の点滅速度を変え、自端末のみ認証されていない場合には、「オレンジ色」を短い周期で点滅させる等の表示をしてもよい。このような方法を用いると、端末装置１２を使用するユーザが認証操作を忘れている場合などに、ユーザの注意を喚起することができ、グループ内の認証済みの端末装置を増やすことができる。
【００６６】
本実施例によれば、グループの端末装置のうち、認証済みの端末装置の数と、認証していない端末装置の数との組合せを認証状況に関する情報として送信するので、送信すべきデータの量を低減できる。また、グループに含まれた他の端末装置がすべて認証されている場合、すべての他の端末装置が認証されていることを表示するので、認証状況の把握を容易にできる。
【００６７】
（実施例３）
次に、実施例３を説明する。実施例３は、これまでと同様に、管理装置を含む業務用無線システムに関する。実施例３は、実施例１と実施例２の組合せに相当する。実施例１では、グループの端末装置に関する情報が管理装置から端末装置へ送信されるので、詳細な情報が通知される。一方、実施例２では、統計処理した情報が管理装置から端末装置へ送信されるので、伝送容量が低減される。そのため、実施例３は、伝送容量を低減しつつ、詳細な情報を通知することを目的とする。実施例３に係る監視装置は、統計処理した情報を端末装置に送信し、端末装置は、実施例２と同様に表示する。その表示を確認したユーザは、さらに詳細な情報を必要とする場合、グループの個々の端末装置に関する情報の送信要求を端末装置から管理装置へ送信する。これに続いて実施例１と同様の処理がなされる。実施例３に係る業務用無線システム１００、管理装置２０、端末装置１２は、図１、３、６と同様のタイプである。ここでは、これまでとの差異を中心に説明する。
【００６８】
図３の生成部３４は、認証済みの端末装置１２の数と、認証がされていない端末装置１２の数とを組み合わせることによって、認証状況に関する情報を生成する。送信部６０は、図１４に示したフォーマットにて、認証状況に関する情報を出力する。図６の受信部５６は、基地局装置１０から、グループに含まれた端末装置１２の認証状況に関する情報を受信する。処理部４２、表示部５０は、図１５のような画面を表示する。ユーザは、操作部４８を操作することによって、詳細な情報の送信要求の指示を入力する。処理部４２は、指示の入力を受けつけると、送信要求を生成し、送信部５４は、上り制御チャネルにて送信要求を基地局装置１０へ送信する。
【００６９】
図３の管理装置２０の受信部６２は、基地局装置１０、ネットワーク１４を介して、送信要求を受けつける。生成部３４は、グループの個々の端末装置１２の認証結果の情報を組み合わせることによって、認証状況に関する情報を生成する。送信部６０は、図５に示したフォーマットにて、認証状況に関する情報を出力する。図６の受信部５６は、基地局装置１０から、グループに含まれた他の端末装置１２の認証状況に関する情報を受信する。処理部４２、表示部５０は、図７（ａ）−（ｂ）のような画面を表示する。
【００７０】
図１６は、本発明の実施例３に係る端末装置１２による受信手順を示すフローチャートである。受信部５６、処理部４２は、認証済みの端末装置の数と、認証していない端末装置の数との組合せが含まれた簡略フォーマットで認証状況に関する情報を受信する（Ｓ８０）。処理部４２、送信部５４が通常フォーマットでの送信を要求すれば（Ｓ８２のＹ）、受信部５６、処理部４２は、グループの個々の端末装置１２の認証結果を組み合わせた通常フォーマットで認証状況に関する情報を受信する（Ｓ８４）。一方、処理部４２、送信部５４が通常フォーマットでの送信を要求しなければ（Ｓ８２のＮ）、ステップ８４は省略される。
【００７１】
本実施例によれば、認証済みの端末装置の数と、認証していない端末装置の数との組合せを認証状況に関する情報として送信してから、各端末装置に関する情報を送信するので、伝送容量を低減しつつ、詳細な情報を通知できる。
【００７２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７３】
本実施例の実施例１乃至３において、端末装置１２は、通話対象となる他の端末装置１２が認証しているか否かにかかわらず、当該他の端末装置１２の通話を実行する。しかしながらこれに限らず例えば、処理部４２は、他の端末装置１２が認証しているか否かによって通話に使用する暗号の強度を変えてもよい。また、処理部４２は、認証されていない他の端末装置１２からの呼び出しを受けてはならないのような着信規制を行ってもよい。また、処理部４２は、認証されていない他の端末装置１２に対して呼び出ししないのような発信規制を行ってもよい。また、端末装置１２は、認証されていない他の端末装置１２と通話しているときに警告のためのＬＥＤ（Ｌｉｇｈｔ  Ｅｍｉｔｔｉｎｇ  Ｄｉｏｄｅ）を点灯・点滅してもよい。本変形例によれば、通信の安全性を向上できる。
【００７４】
さらに、本実施例１乃至３において、端末装置１２は、表示部５０により表示し認証状況を報知していたが、音声合成の音による報知や、ヘッドセットや外部表示装置といった外部機器に認証状況を出力することによる報知でもよく、ユーザに対して報知するための認証状況を出力する報知部を備えていてもよい。
【００７５】
本発明の実施例１乃至３において、管理装置２０は、ネットワーク１４に接続されている。しかしながらこれに限らず例えば、管理装置２０は、いずれかの基地局装置１０に内蔵されていてもよい。本変形例によれば、構成の自由度を向上できる。
【符号の説明】
【００７６】
１０  基地局装置、  １２  端末装置、  １４  ネットワーク、  １６  エリア、  ２０  管理装置、  ３０  通信部、  ３２  処理部、  ３４  生成部、  ３６  記憶部、  ４０  通信部、  ４２  処理部、  ４４  マイク、  ４６  スピーカ、  ４８  操作部、  ５０  表示部、  ５２  記憶部、  ５４  送信部、  ５６  受信部、  ６０  送信部、  ６２  受信部、  １００  業務用無線システム。
【図１】
2015144332.tif 000003
【図２】
2015144332.tif 000004
【図３】
2015144332.tif 000005
【図４】
2015144332.tif 000006
【図５】
2015144332.tif 000007
【図６】
2015144332.tif 000008
【図７】
2015144332.tif 000009
【図８】
2015144332.tif 000010
【図９】
2015144332.tif 000011
【図１０】
2015144332.tif 000012
【図１１】
2015144332.tif 000013
【図１２】
2015144332.tif 000014
【図１３】
2015144332.tif 000015
【図１４】
2015144332.tif 000016
【図１５】
2015144332.tif 000017
【図１６】
2015144332.tif 000018